(57)【特許請求の範囲】
【請求項１】
後方に向かって上り勾配に傾斜する姿勢で自立する支柱(1)と、この支柱(1)に連結具(4)を介して上下に移動できるように連結している座台(2)とを備え、
支柱(1)は、筒状で上下に延長して前面にスリット(8)を設けており、連結具(4)は、座台(2)を連結している上下台(5)と、この上下台(5)に連結されて、支柱(1)のスリット(8)を貫通して、スリット(8)の両側で支柱(1)の内面に当接するＬ金具を連結してなる内側ストッパ(6)と、上下台(5)に連結されて、支柱(1)の前面でスリット(8)の両側に当接する外側ストッパ(7)とを備え、外側ストッパ(7)は、内側ストッパ(6)よりも下方に位置して上下台(5)に連結しており、内側ストッパ(6)と外側ストッパ(7)の間隔(d)は、上下台(5)を支柱(1)に沿って上下に移動できるように支柱(1)の肉厚(t)よりも大きく、座台(1)に荷重がかかると、内側ストッパ(6)と支柱(1)の内面に押圧されて、外側ストッパ(7)が支柱(1)の前面に押圧されて、座台(2)を降下しないように所定の高さで停止できるようにしてなる椅子。
【請求項２】
支柱(1)が角筒、円筒、楕円筒のいずれかである請求項１に記載される椅子。
【請求項３】
外側ストッパ(7)が支柱(1)の前面に面接触する形状である請求項１に記載される椅子。
【請求項４】
内側ストッパ(6)が支柱(1)の内面に面接触する形状である請求項１に記載される椅子。
【発明の詳細な説明】
【０００１】
【発明の属する技術分野】
本発明は座台を上下に移動して、所定の高さに停止できる椅子に関する。
【０００２】
【従来の技術】
座台を上下に移動できる椅子は、種々の用途に最適な状態で使用できる。このことを実現する椅子は、種々の構造で座台を上下に移動して移動した位置に停止できる構造としている。座台を自在に上下に移動できる椅子が、たとえば、実公昭５９−２７１７０号、および実公昭５９−２７１７１号に記載される。これらの公報に記載される椅子は、ストッパ機構を介して、座台を支柱に連結している。これらの椅子は、ストッパ機構で座台を所定の位置に停止させ、また、ストッパ機構を解除させて、座台を上下に移動できるようにしている。
【０００３】
【発明が解決しようとする課題】
これらの椅子は、取っ手を操作してストッパ機構のロック状態を解除し、座台を上下に移動できる。ただ、この椅子は、座台を所定の位置に停止するためのストッパ機構が複雑で、製造コストが高くなる。また、複雑なストッパ機構を備えるので、全体をすっきりと美しいデザインにすることができない。さらに、ロック状態を解除するために取っ手を操作する必要があるので、簡単に上下に移動できない欠点もある。とくに、片手で座台を上下に移動するのが難しい欠点がある。
【０００４】
本発明は、このような欠点を解決することを目的に開発されたものである。本発明の重要な目的は、極めて簡単な機構で座台を所定の高さにしっかりと停止でき、さらに、製造コストを低減して全体のデザインを極めてすっきりと美しくでき、さらにまた簡単かつ容易に、しかも迅速に座台を最適な高さに移動できる椅子を提供することにある。
【０００５】
【課題を解決するための手段】
本発明の椅子は、後方に向かって上り勾配に傾斜する姿勢で自立する支柱１と、この支柱１に連結具４を介して上下に移動できるように連結している座台２とを備える。支柱１は、筒状で上下に延長して前面にスリット８を設けている。連結具４は、座台２を連結している上下台５と、この上下台５に連結されて、支柱１のスリット８を貫通して、スリット８の両側で支柱１の内面に当接する内側ストッパ６と、上下台５に連結されて、支柱１の前面でスリット８の両側に当接する外側ストッパ７とを備える。外側ストッパ７は、内側ストッパ６よりも下方に位置して上下台５に連結している。内側ストッパ６と外側ストッパ７の間隔は、上下台５を支柱１に沿って上下に移動できるように支柱１の肉厚よりも大きくしている。この椅子は、座台２に荷重がかかると、内側ストッパ６と支柱１の内面に押圧されて、外側ストッパ７が支柱１の前面に押圧されて、座台２を降下しないように所定の高さで停止できるようにしている。
【０００６】
支柱１は、角筒、円筒、楕円筒のいずれかとすることができる。内側ストッパ６がＬ金具を連結したものである。外側ストッパ７は、支柱１の前面に面接触する形状とすることができる。内側ストッパ６は、支柱１の内面に面接触する形状とすることができる。
【０００７】
【発明の実施の形態】
以下、本発明の実施例を図面に基づいて説明する。ただし、以下に示す実施例は、本発明の技術思想を具体化するための椅子を例示するものであって、本発明は椅子を以下のものに特定しない。
【０００８】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【０００９】
図１に示す椅子は、支柱１と、この支柱１に上下に移動できるように連結している座台２とを備える。
【００１０】
支柱１は、後方に支持ロッド３を連結して、この支持ロッド３で支えて、後方に向かって上り勾配に傾斜する姿勢で自立するようになっている。支持ロッド３は、支柱１と平行な方向に折り畳みできるように支柱１にピン１８で折り畳みできように連結している。支柱１の下端には、左右に突出して水平ロッド９を固定している。水平ロッド９は、支柱１が横に転倒するのを防止する。この支柱１は、水平ロッド９と支持ロッド３で前後左右に転倒しないように自立される。さらに、図の支柱１は、上端に取手１０を設けている。図に示す取手１０は、円形の環状のループで、ここをもって椅子を持ち運びできる。
【００１１】
支柱１は、１本の金属製の角筒、すなわち、角パイプである。この支柱１は、前面にスリット８を設けている。スリット８は、座台２を上下に移動させるもので、上下方向に延長して前面の中央部に設けている。角筒である支柱１は、座台２の水平面における回動を阻止して、しっかりと支柱１に連結できる特長がある。ただ、支柱は、円筒または楕円筒とすることもできる。円筒または楕円筒の支柱も、座台を実用レベルにおいて、水平面内の回転を阻止する構造とすることができる。
【００１２】
座台２は、連結具４を介して上下に移動できるように支柱１に連結している。連結具４は、座台２を連結している上下台５と、この上下台５に連結されて、支柱１のスリット８を貫通して、スリット８の両側で支柱１の内面に当接する内側ストッパ６と、上下台５に連結されて、支柱１の前面でスリット８の両側に当接する外側ストッパ７とを備える。
【００１３】
連結具４は、図２に示すように、２枚のＬ金具を背中合わせに連結して、上下台５と内側ストッパ６を一体構造としている。２枚のＬ金具は、支柱１のスリット８を貫通して、支柱１の内部で内側ストッパ６となり、支柱１の外側に突出する部分を上下台５としている。この構造の内側ストッパ６は、スリット８を支柱１の上端まで延長することなく、スリット８から支柱１の内部に配置できる。２枚のＬ金具を別々にスリット８から支柱１の内部に入れた後、上下台５となる部分をネジ止めして連結できるからである。スリット８を上端まで延長しない支柱１は、上端で筒状に連結されて強靭な構造にできる。
【００１４】
外側ストッパ７は、内側ストッパ６よりも下方に位置して上下台５に連結される。図３の外側ストッパ７は、垂直面内で回動できるようにアーム１１を介して上下台５に連結している。外側ストッパ７のアーム１１は、上下台５の両側に位置し、回動ピン１２を介して上下台５に連結される。この外側ストッパ７は、支柱１の表面に当接する支柱１との対向面に、難スリップ材であるゴム板１３を固定している。ゴム板１３は、支柱１の表面に押圧される状態で、上下台５が降下するのを確実に阻止すると共に、支柱１の表面に傷がつくのを防止できる特長もある。ゴム板は、永久磁石のゴム板を使用することができる。このゴム板は、鉄製の支柱に吸着されて、上下台との滑りを防止できる。回動できる外側ストッパ７は、ゴム板１３を支柱１の表面に沿わせて面接触できる。ゴム板１３を面接触させる状態で、外側ストッパ７の回動は阻止される。したがって、外側ストッパ７は回動できるが、自由に回動できるわけではなく、ゴム板１３を支柱１に当接させる位置で停止される。図の連結具４は、外側ストッパ７を回動できるように上下台５に連結しているが、外側ストッパは、上下台に回動しないように固定することもできる。
【００１５】
内側ストッパ６と外側ストッパ７の間隔（ｄ）は、上下台５を支柱１に沿って上下に移動できるように、支柱１の肉厚（ｔ）よりも大きい。図３の矢印Ａで示す方向に連結具４を回動させると、外側ストッパ７が支柱１の前面を押圧しなくなり、連結具４を支柱１に沿って上下に移動できる。座台２に荷重がかかると、連結具４には矢印Ｂで示す方向に回転モーメントが作用する。この回転モーメントは、外側ストッパ７を支柱１の前面に押し付けると共に、内側ストッパ６を支柱１の内面に押圧する。この状態において、座台２は、図４に示すように、水平姿勢で停止される。
【００１６】
図３の椅子は、座台２を折り畳みできるように上下台５に連結している。図の座台２は、後端に突出部１４を設けて、突出部１４を上下台５に回動できるように回動ピン１５を介して連結している。この椅子は、座台２を図１の矢印Ｃで示す方向に折り畳みできる。突出部１４は、上下台５の両側に位置する。いいかえると、突出部１４の間に上下台５を配設して、座台２の突出部１４と上下台５とに回転ピン１５を貫通して、折り畳みできるように連結している。折り畳みできる座台２は、図４に示すように、水平姿勢で停止され、この姿勢から図５で示すように、上方に折り畳まれる。座台２を水平姿勢に停止するために、突出部１４にストッパ１６を設けている。ストッパ１６は、座台２を水平姿勢とする状態で、上下台５の垂直面５Ａに当たって、座台２を水平の姿勢に保持する。座台２には、図３に示すように、外側ストッパ７を押すプッシャ１７を固定することができる。プッシャ１７は、座台２を水平にする状態で、外側ストッパ７を支柱１に向かって押圧する。このため、外側ストッパ７を強く支柱１に押圧して、滑りを阻止できる。図の椅子は、プッシャ１７をストッパ１６に固定している。プッシャ１７は、外側ストッパ７であるアーム１１を背面から押して、外側ストッパ７を支柱１に押圧する。さらに、外側ストッパ７のアーム１１は、図６に示すように、長く延長して取っ手の形状とすることもできる。このアーム１１は、上下台５に固定され、支柱１に当接する下端面にゴム板１３を固定している。この椅子は、アーム１１を取っ手のように使用して便利に持ち運びできる。
【００１７】
以上の椅子は、支柱１を角筒とするので、内側ストッパ６と外側ストッパ７が支柱１に当接する面を平面状としている。支柱を円筒または楕円筒とする椅子は、内側ストッパと外側ストッパを、円筒または楕円筒の表面に面接触する形状とする。
【００１８】
【発明の効果】
本発明の椅子は、極めて簡単な機構で、座台を所定の高さにしっかりと停止できる特長がある。それは、本発明の椅子が、自立する筒状の支柱の前面に、上下に延長してスリットを設けると共に、このスリットに沿って上下に移動する連結具を介して座台を連結しており、この連結具は、座台を連結する上下台に、支柱のスリットを貫通して支柱の内面に当接する内側ストッパと、支柱の前面に当接する外側ストッパとを、外側ストッパを内側ストッパよりも下方に位置させて連結しているからである。この構造の椅子は、座台に荷重がかかると、内側ストッパが支柱の内面を、外側ストッパが支柱の前面を押圧するので、座台を降下しないように確実に所定の高さで停止できる。さらに、本発明の椅子は、内側ストッパと外側ストッパの間隔を、支柱の肉厚よりも大きくしているので、上下台を支柱に沿って楽に上下に移動させて、迅速に座台を最適な高さに移動できる特長がある。さらにまた、本発明の椅子は、極めて簡単な構造とすることにより、製造コストを低減して、しかも、全体のデザインを極めてすっきりと美しくできる特長もある。
【図面の簡単な説明】
【図１】本発明の実施例の椅子の斜視図
【図２】図１に示す椅子の連結具を示す水平断面図
【図３】図１に示す椅子の連結具を示す垂直断面図
【図４】図３に示す椅子の座台が停止される状態を示す垂直断面図
【図５】図３に示す椅子の座台が折り畳まれる状態示す垂直断面図
【図６】本発明の他の実施例の椅子の座台が停止される状態を示す垂直断面図
【符号の説明】
１…支柱
２…座台
３…支持ロッド
４…連結具
５…上下台              ５Ａ…垂直面
６…内側ストッパ
７…外側ストッパ
８…スリット
９…水平ロッド
１０…取手
１１…アーム
１２…回動ピン
１３…ゴム板
１４…突出部
１５…回動ピン
１６…ストッパ
１７…プッシャ
１８…ピン
【図１】
0003584217.tif 000002
【図２】
0003584217.tif 000003
【図３】
0003584217.tif 000004
【図４】
0003584217.tif 000005
【図５】
0003584217.tif 000006
【図６】
0003584217.tif 000007